(57)【要約】【課題】軸の差し込み操作性の向上及び軸の抜け止め堅牢化を実現する扉軸支装置の提供。【解決手段】ポストの裏蓋軸支装置は、ポスト本体１側の第１及び第２の軸取付孔４Ａ，４Ｂと、裏蓋５側の第１及び第２軸ホルダ７Ａ，７Ｂを備え、第１及び第２軸ホルダ７Ａ，７Ｂが保持する第１及び第２の軸部材８Ａ，８Ｂの一方軸端側Ｎを第１及び第２の軸取付孔４Ａ，４Ｂに対応させて差し込んで成り、各軸部材８Ａ，８Ｂは一方軸端側Ｎにツマミ部Ｑを挟んで逆方向へ配向する他方軸端側Ｍを有し、各扉側軸ホルダ７Ａ，７Ｂは、他方軸端側Ｍを傾斜姿勢で差し込み可能な斜向した他方軸端側挿通孔ｈ１のある第１軸受突起Ｐ１と、他方軸端側挿通孔ｈ１よりも対応する軸取付孔４Ａ，４Ｂ寄りに位置し一方軸端側Ｎを通して軸取付孔４Ａ，４Ｂ側へ突出させる一方軸端側挿通孔ｈ２のある第２軸受突起Ｐ２と、ツマミ部Ｑの旋回動に伴い当該ツマミ部Ｑを係止する係止部Ｒを有する。【選択図】      図２
2011246956.tif 000002
【特許請求の範囲】
【請求項１】
固定体側の扉口を挟んだ口縁部同士に対置した第１及び第２の軸取付孔と、扉側の両縁部に対置した第１及び第２の軸ホルダとを備え、前記第１及び第２の軸ホルダが保持する第１及び第２の軸部材の一方軸端側を前記第１及び第２の軸取付孔に対応させて差し込んで扉を開閉自在に取付けて成る扉軸支装置において、
前記各軸部材は前記一方軸端側にツマミ部を挟んで逆方向へ配向する他方軸端側を有し、前記各扉側軸ホルダは、前記他方軸端側を傾斜姿勢で差し込み可能な斜向した他方軸端側挿通孔のある第１有孔部と、前記他方軸端側挿通孔よりも前記軸取付孔寄りに位置し前記一方軸端側を通して前記軸取付孔側へ突出させる一方軸端側挿通孔のある第２有孔部と、この第２有孔部寄りの前記ツマミ部の旋回動に伴い当該ツマミ部自身を係止する係止部とを有することを特徴とする扉軸支装置。
【請求項２】
請求項１に記載の扉軸支装置において、前記ツマミ部は軸体の中間部を褶曲して成ることを特徴とする扉軸支装置。
【請求項３】
請求項１に記載の扉軸支装置において、前記係止部は、前記ツマミ部の正逆旋回動過程の特定位置で当該ツマミ部に旋回抵抗力を付与する抵抗部と、この抵抗部の隣接位置で前記ツマミ部の前記旋回動を阻止する回り止め部と、前記ツマミ部が前記抵抗部と前記回り止め部との挟間に位置するとき前記ツマミ部の前記第１有孔部側への戻りを阻止する軸方向戻り止め部とを有することを特徴とする扉軸支装置。
【請求項４】
請求項１に記載の扉軸支装置において、前記各扉側軸ホルダは、前記第１有孔部と前記第２有孔部との間の前記第１有孔部寄りに前記他方軸端側を挟んで載せる軸装架部を有することを特徴とする扉軸支装置。
【請求項５】
請求項１乃至請求項４のいずれか一項に記載の扉軸支装置において、前記各扉側軸ホルダは前記扉と一体に形成された樹脂成形品であることを特徴とする扉軸支装置。
【請求項６】
請求項１乃至請求項５のいずれか一項に規定する扉軸支装置において、前記固定体はポスト本体で、前記扉は扉口としての取り出し口を塞ぐ裏蓋であることを特徴とするポストの裏蓋軸支装置。
【発明の詳細な説明】
【技術分野】
【０００１】
本発明は、ポストの裏蓋や開き戸などの大小各種の開閉扉に関し、特にその開閉扉に適用可能な扉軸支装置に関する。
【背景技術】
【０００２】
従来、ポストの裏蓋の軸支装置としては、ポストの裏面の取り出し口を開閉する裏蓋を配置し、取り出し口の上部の両側に軸取付孔を設けると共に裏蓋の内面側に設けた軸受け台毎に一対の軸挿通孔を設け、軸取付孔と一対の軸挿通孔とに軸ピンを挿通して裏蓋を開閉自在に取り付けて成り、軸ピンの頭部が位置する座部にその頭部を抜け止めする係止突起を突設してあり、軸ピンを一対の軸挿通孔に挿通すると、頭部が係止突起を越えて係止突起で返し係止されて軸ピンが抜け止めされる。
【先行技術文献】
【特許文献】
【０００３】
【特許文献１】特開２００１−３４２７７３（図１３）
【発明の概要】
【発明が解決しようとする課題】
【０００４】
上記の軸支装置においては、軸ピンを一対の軸挿通孔に差し込んでその先端が軸取付孔に入り込む際、同時にその頭部が係止突起を乗り越える状態にあるため、軸ピンの先端がぶれて軸取付孔に差し込み難い。これを緩和するには、軸ピンを長くし、係止突起を低くすればよいが、係止機能の減退を招くことになるため、軸ピンの差し込み操作性の向上と軸ピンの抜け止め耐力は二律背反する。また、軸ピンの頭部が係止突起を乗り越える際には、樹脂製の係止突起では擦り傷等の損傷を受けることから抜け止め耐力の信頼性に欠け、更に、軸ピンを引き抜く場合は係止突起を剥ぎ取る必要があり、裏蓋の取付は一回性であって裏蓋の再取付が不可能である。
【０００５】
そこで上記問題点に鑑み、本発明の第１の課題は、軸の差し込み操作性の向上と軸の抜け止め耐力の向上を共に実現できる扉軸支装置を提供することにある。本発明の第２の課題は、装置の一部を損傷することなく扉の取付・取外が何回でも可能な扉軸支装置を提供することにある。
【課題を解決するための手段】
【０００６】
本発明は、固定体側の扉口を挟んだ口縁部同士に対置した第１及び第２の軸取付孔と、扉側の両縁部に対置した第１及び第２の軸ホルダとを備え、第１及び第２の軸ホルダが保持する第１及び第２の軸部材の一方軸端側を第１及び第２の軸取付孔に対応させて差し込んで扉を開閉自在に取付けて成る扉軸支装置において、各軸部材は一方軸端側にツマミ部を挟んで逆方向へ配向する他方軸端側を有し、各扉側軸ホルダは、他方軸端側を傾斜姿勢で差し込み可能な斜向した他方軸端側挿通孔のある第１有孔部と、他方軸端側挿通孔よりも軸取付孔寄りに位置し一方軸端側を通して軸取付孔側へ突出させる一方軸端側挿通孔のある第２有孔部と、この第２有孔部寄りのツマミ部の旋回動に伴い当該ツマミ部自身を係止する係止部とを有することを特徴とする。なお、ここで扉とは、開閉蓋や開き戸など各種の開閉扉を指す。
【０００７】
このような構成の扉軸支装置においては、例えば次のようにして扉を扉口に取り付けることができる。まず、第１の軸ホルダの第１有孔部の斜向した他方軸端側挿通孔に内側から第１の軸部材の他方軸端側を傾斜姿勢で差し込んで、この嵌め合いを支点として第１の軸部材の一方軸端側を内側から第２有孔部の一方軸端側挿通孔に差し込み、第２有孔部寄りのツマミ部を回してこれを係止部に係止させ、第１の軸部材を一方軸端側挿通孔と他方軸端側挿通とが架設した状態で第１の軸ホルダに設定する。この状態で突出する一方軸端側を第１軸取付孔へ差し込んで、この嵌め合いを支点として第２の軸ホルダの第２有孔部の一方軸端側挿通孔を第２軸取付孔に合わせながら、第１有孔部の斜向した他方軸端側挿通孔に第２の軸部材の他方軸端側を内側から傾斜姿勢で差し込んで、この嵌め合いを支点として第２の軸部材の一方軸端側を内側から第２有孔部の一方軸端側挿通孔と第２軸取付孔とに差し込んだ後、第２有孔部寄りのツマミ部を回して係止部に係止させ、第２の軸部材を第２の軸ホルダに設定することにより、扉が扉口に開閉自在に取付けられる。
【０００８】
このように、軸部材を第１有孔部と第２有孔部との中間から順次挿通孔に差し込んで架け渡すことができ、しかもツマミ部を回して係止部に係止させることができるため、軸の差し込み操作方向と軸の抜け止め操作方向が異なるので、軸の差し込み操作性の向上と軸の抜け止め耐力化の両者を実現できる。
【０００９】
また、ツマミ部を逆方向に回して軸の抜け止めを解除することで、軸を軸ホルダから容易に外すことができるため、扉の取付・取外が何回でも可能である。
【００１０】
ツマミ部は軸体に別体に設けることも可能であるが、軸体の中間部をＵ字状などに褶曲して形成しても良い。軸部材自身の低コスト化を実現できる。
【００１１】
ここで、係止部は、ツマミ部の正逆旋回動過程の特定位置で当該ツマミ部に旋回抵抗力を付与する抵抗部と、この抵抗部の隣接位置でツマミ部の旋回動を阻止する回り止め部と、ツマミ部が抵抗部と回り止め部との挟間に位置するときツマミ部の第１有孔部側への戻りを阻止する軸方向戻り止め部とを有する。このツマミ部を回し、抵抗部からの抵抗力に抗して旋回させて回り止め部に当て、抵抗部及び軸方向戻り止め部の挟間で係止させる。
【００１２】
各扉側軸ホルダは、第１有孔部と第２有孔部との間の第１有孔部寄りに他方軸端側を挟んで載せる軸装架部を有することが望ましい。第１有孔部は斜向した他方軸端側挿通孔を有し、他方軸端側をその斜向した他方軸端側挿通孔で支える強度が足りないこともあるが、この軸装架部で他方軸端側を挟んで載せることができる分、他方軸端側挿通孔への荷重を軽減でき、補強効果を発揮する。
【００１３】
扉側軸ホルダは扉に取付可能な部品として構成しても構わないが、扉側軸ホルダが扉と一体に形成された樹脂成形品である場合には取付不要とでき、また耐久強度も十分得られる。
【００１４】
上記の扉軸支装置において、固定体はポスト本体で扉は扉としての取り出し口を塞ぐ裏蓋とすれば、ポストの裏蓋軸支装置と得ることができる。
【発明の効果】
【００１５】
本発明によれば、軸の差し込み操作性の向上と軸の抜け止め耐力化の両者を実現できる。
【図面の簡単な説明】
【００１６】
【図１】（Ａ）は本発明の実施形態に係るポストの裏蓋軸支装置において裏蓋の取付前の状態を示す斜視図、（Ｂ）は同裏蓋軸支装置において裏蓋の取付完了後の状態を示す斜視図である。
【図２】（Ａ）〜（Ｉ）は同裏蓋軸支装置において裏蓋の取付手順を示す概略図である。
【発明を実施するための形態】
【００１７】
次に、本発明の実施形態を添付図面に基づいて説明する。本例のポストの裏蓋軸支装置は、図１に示すように、ポスト本体１側の取り出し口２を挟んだ口縁部３Ａ，３Ｂ同士に対置した第１の軸取付孔４Ａ，第２の軸取付孔４Ｂと、樹脂製の裏蓋５の内面側の両縁部６Ａ，６Ｂに一体的に対置した第１の軸ホルダ７Ａ，第２の軸ホルダ７Ｂとを備え、第１及び第２の軸ホルダ７Ａ，７Ｂにセットして保持する第１及び第２の軸部材８Ａ，８Ｂの一方軸端側Ｎを第１及び第２の軸取付孔４Ａ，４Ｂに対応させて差し込んで裏蓋５の扉を開閉自在に取付けて成る。
【００１８】
各軸部材８Ａ，８Ｂは軸体の中間をＵ字状に褶曲したツマミ部Ｑを有し、一方軸端側Ｎにツマミ部Ｑを挟んで逆方向へ配向する他方軸端側Ｍを有しており、他方軸端側Ｍの方が一方軸端側Ｎの方に比べて若干長めとなっている。
【００１９】
各軸ホルダ７Ａ，７Ｂは、図２に示す如く、他方軸端側Ｍを傾斜姿勢で差し込み可能な斜向した他方軸端側挿通孔ｈ１を持つ第１軸受突起Ｐ１と、他方軸端側挿通孔ｈ１よりも対応する軸取付孔４Ａ，４Ｂ寄りに位置し一方軸端側Ｎを通して軸取付孔４Ａ，４Ｂ側へ突出させる一方軸端側挿通孔ｈ２を持つ第２軸受突起Ｐ２と、この第２軸受突起Ｐ２寄りのツマミ部Ｑの旋回動に伴い当該ツマミ部Ｑ自身を係止する係止部Ｒとを有する。
【００２０】
各係止部Ｒは、ツマミ部Ｑが挿通孔ｈ１，ｈ２内の軸端側Ｍ，Ｎを旋回中心として旋回する過程においてツマミ部Ｑの旋回中心からの最遠点が裏蓋５に面する位置で当該ツマミ部Ｑに乗り越え抵抗力を付与する半球状邪魔突起Ｒ１と、この半球状邪魔突起Ｒ１の隣接位置でツマミ部Ｑの旋回動を阻止する回り止め壁Ｒ２と、ツマミ部Ｑが半球状邪魔突起Ｒ１と回り止め壁Ｒ２との挟間に位置するときツマミ部Ｑの第１軸受突起Ｐ１側への戻りを阻止する軸方向戻り止め壁Ｒ３と、ツマミ部Ｑが半球状邪魔突起Ｒ１と回り止め壁Ｒ２との挟間に位置するときツマミ部Ｑの第２軸受突起Ｐ２側への進行を阻止する軸方向進み止め壁Ｒ４とを備えている。
【００２１】
そして、各軸ホルダ７Ａ，７Ｂは、第１軸受突起Ｐ１と第２軸受突起Ｐ２との間の第１軸受突起Ｐ１寄りに他方軸端側Ｍを挟んで載せる軸装架部Ｓを有する。
【００２２】
このような構成のポストの裏蓋軸支装置においては、例えば次のようにして裏蓋５をポスト本体１の取り出し口２に簡単に取り付けることができる。
【００２３】
まず、第１の軸ホルダ７Ａの第１軸受突起Ｐ１の斜向した他方軸端側挿通孔ｈ１に内側から第１の軸部材８Ａの他方軸端側Ｍを傾斜姿勢で差し込んで、この嵌め合いを支点として第１の軸部材８Ａの一方軸端側Ｎを内側から第２軸受突起Ｐ２の一方軸端側挿通孔ｈ２に差し込み、第２軸受突起Ｐ２寄りのツマミ部Ｑを回してこれを係止部Ｒに係止させ、第１の軸部材８Ａを一方軸端側挿通孔ｈ２と他方軸端側挿通ｈ１との架設した状態で第１の軸ホルダ７Ａに設定する（図２（Ａ））。
【００２４】
この状態で突出する一方軸端側Ｎを第１軸取付孔４Ａへ差し込んで、この嵌め合いを支点として第２の軸ホルダ７Ｂの第２軸受突起Ｐ２の一方軸端側挿通孔ｈ２を第２軸取付孔４Ｂに合わせながら（図２（Ｂ））、第１軸受突起Ｐ１の斜向した他方軸端側挿通孔ｈ１に第２の軸部材８Ｂの他方軸端側Ｍを内側から傾斜姿勢で差し込んで（図２（Ｃ））、この嵌め合いを支点として第２の軸部材８Ｂを裏蓋５と平行にし（図２（Ｄ），（Ｅ））、第２の軸部材８Ｂの一方軸端側Ｎを内側から第２軸受突起Ｐ２の一方軸端側挿通孔ｈ２と第２軸取付孔４Ｂとに差し込んだ後（図２（Ｆ），（Ｇ））、第２軸受突起Ｐ２寄りのツマミ部Ｑを回して係止部Ｒに係止させ（図２（Ｈ），（Ｉ））、第２の軸部材８Ｂを第２の軸ホルダ７Ｂに設定することにより、裏蓋５が取り出し口２に開閉自在に取付けられる。
【００２５】
ツマミ部Ｑを回して係止部Ｒに係止させる過程を説明すると、ツマミ部Ｑの旋回中心からの最遠点が半球状邪魔突起Ｒ１擦って乗り越えこの突起Ｒ１と回り止め壁Ｒ２との挟間に嵌って係止される。裏蓋５の開閉動作により一方軸端側Ｎに一方軸端側挿通孔ｈ２から摩擦力が加わるため、軸部材８Ａ，８Ｂを回す偶力となるが、ツマミ部Ｑの最遠点がその旋回中心からの距離を腕の長さとする逆回りの偶力で対向しているので、ツマミ部Ｑを指などで作為的に摘んで戻さない限り、係止解除されることはない。
【００２６】
このように、軸部材８Ａ，８Ｂを第１軸受突起Ｐ１と第２軸受突起Ｐ２との中間から順次挿通孔ｈ１，ｈ２に差し込んで架け渡すことができ、しかもツマミ部Ｑを軸回りに回して係止部Ｒに係止させることができるため、軸の差し込み操作性の向上と軸の抜け止め耐力化の両者を実現できる。また、ツマミ部Ｑを逆方向に回して軸部材８Ａ，８Ｂの抜け止めを解除することで、軸部材８Ａ，８Ｂを軸ホルダ７Ａ，７Ｂから容易に外すことができるため、裏扉５の取付・取外が何回でも可能である。
【００２７】
ツマミ部Ｑは軸体の中間部をＵ字状などに褶曲して形成したものであるから、軸部材Ａ，８Ｂの低コスト化を実現できる。
【００２８】
第１軸受突起Ｐ１は斜向した他方軸端側挿通孔ｈ１を有し、他方軸端側Ｍをその斜向した他方軸端側挿通孔ｈ１で支える強度が足りないこともあるが、各軸ホルダ７Ａ，７Ｂは軸装架部Ｓを有し、この軸装架部Ｓで他方軸端側Ｍを架け載せることができる分、他方軸端側挿通孔ｈ１への荷重を軽減でき、補強効果を発揮する。
【００２９】
本例の裏蓋５は樹脂製で、軸ホルダ７Ａ，７Ｂが裏蓋５と一体に形成されている。軸ホルダ７Ａ，７Ｂが取付不要で、また耐久強度も十分得られる。
【符号の説明】
【００３０】
１…ポスト
２…取り出し口
３Ａ，３Ｂ…口縁部
４Ａ…第１の軸取付孔
４Ｂ…第２の軸取付孔
５…裏蓋
６Ａ，６Ｂ…両縁部
７Ａ…第１の軸ホルダ
７Ｂ…第２の軸ホルダ
８Ａ…第１の軸部材
８Ｂ…第２の軸部材
ｈ１…他方軸端側挿通孔
ｈ２…一方軸端側挿通孔
Ｑ…ツマミ部
Ｍ…他方軸端側
Ｎ…一方軸端側
Ｐ１…第１軸受突起
Ｐ２…第２軸受突起
Ｒ…係止部
Ｒ１…半球状邪魔突起
Ｒ２…回り止め壁
Ｒ３…軸方向戻り止め壁
Ｒ４…軸方向進み止め壁
Ｓ…軸装架部
【図１】
2011246956.tif 000003
【図２】
2011246956.tif 000004